(57)【要約】【課題】  より小さい旋回角度でネジ頭に嵌めることが可能で、一つのマフ部によりメートル法ネジ頭とイギリス規格ネジ頭とを嵌めることが可能な手工具におけるマフ部の構造を提供する。【解決手段】  マフ部１２には複数の溝１２１が排列され、溝１２１の数量は１２の倍数である。各溝１２１の断面はＶ字形を呈し、各溝１２１のマフ部軸心から遠ざかった部分を溝底部１２２とし、マフ部軸心に近接する部分を溝開口１２３とする。溝底部１２２と溝開口１２３とは二つの壁面１２４で連接し、溝底部１２２の幅は溝開口１２３の幅よりも小さくすることにより、メートル法またはイギリス規格のネジ頭の各角部は前記マフ部にある六つの溝１２１に収容されることが可能である。１２の倍数の溝１２１により、隣接する溝１２１の成す角度は従来の６０度より小さくなり、嵌めるときの旋回角度が小さくなる。【選択図】    図１
0003108370.tif 000002
【実用新案登録請求の範囲】
【請求項１】
マフ部には複数の溝が排列され、前記溝の数量は１２の倍数であり、且つ各溝の断面はＶ字形を呈し、各溝のマフ部軸心から遠ざかった部分を溝底部とし、マフ部軸心に近接する部分を溝開口とし、前記溝底部と前記溝開口とは二つの壁面で連接し、且つ前記溝底部の幅は前記溝開口の幅よりも小さくすることにより、メートル法またはイギリス規格のネジ頭の各角部は前記マフ部にある六つの溝に収容可能であることを特徴とする手工具におけるマフ部の構造。
【請求項２】
前記マフ部は、片方向回転爪車スパナの爪車装置に設置され、貫通孔の形態を呈することを特徴とする請求項１に記載の手工具におけるマフ部の構造。
【請求項３】
前記マフ部はスリーブ型爪車スパナのスリーブに設置されることにより、ネジ頭に嵌めることが可能であることを特徴とする請求項１に記載の手工具におけるマフ部の構造。
【考案の詳細な説明】
【技術分野】
【０００１】
本考案は、手工具におけるマフ部の構造に関する。
【背景技術】
【０００２】
図７から図１０に示すのは、従来の片方向回転爪車スパナである。スパナは一つのハンドル８を有し、ハンドル８の先端には一つの爪車装置８１が設けられ、爪車装置８１は一つのマフ部８２を有する。マフ部８２は、メートル法の六角形な貫通孔を呈し、メートル法のネジ頭９に嵌めることが可能である。スパナのマフ部８２をメートル法のネジ頭９に嵌めてスパナのハンドル８を往復に旋回することにより、ネジを締結し又は緩めることが可能である。
【考案の開示】
【考案が解決しようとする課題】
【０００３】
しかしながら、図８に示すように、従来の爪車スパナのマフ部８２はメートル法による六角形の貫通孔であり、且つ六角形な貫通孔の隣接する角部が６０度を成すので、マフ部８２をメートル法のネジ頭９に嵌めるときには、スパナのハンドル８を左方向または右方向へ６０度を旋回させることで、図９に示すように、始めてスパナのマフ部８２はメートル法のネジ頭９に嵌めることが可能である。したがって、狭いスペースで上記スパナを使用する場合には、スパナのハンドル８はスペースに制限されながら左右に旋回させなければならず、マフ部８２がメートル法のネジ頭９に嵌めることができない問題があった。
【０００４】
図１０に示すように、一般のネジ頭９、ネジ頭９Ａはメートル法とイギリス規格とのものがあり、使用者は目測によりネジ頭の規格を判断している。例えばメートル法の１０ｍｍと８ｍｍとのものを分けることが可能であるが、メートル法１０ｍｍとイギリス規格３/８”との寸法の差は０．５ｍｍだけであるので、目測により判断することは難しい。このため、使用者はマフ部８２をネジ頭９Ａに嵌めるときに、始めてネジ頭９Ａがイギリス規格であることに気づき、イギリス規格のスパナを代わりに使用しなければならなくなる。
【０００５】
メートル法のマフ部８２はメートル法の六角形穴であるので、マフ部８２をメートル法のネジ頭９に嵌めるときには、スパナのハンドル８を左右に約６０度を旋回させると、始めて前記スパナのマフ部８２がメートル法のネジ頭９に嵌めることができるが、狭いスペースで上記スパナを使用する場合には、スパナのハンドル８はスペースに制限されるため左右に旋回させて、マフ部８２がメートル法のネジ頭９に嵌めることができない問題があった。且つマフ部８２によりイギリス規格のネジ頭９Ａを旋回するときに、両者が緊密に合わないのことにより、イギリス規格のネジ頭９Ａの力受け箇所は各角部に位置することにより、イギリス規格のネジ頭９Ａの各角部は変形し又は崩れることがよくあった。
【０００６】
したがって本考案の目的は、より小さい旋回角度でネジ頭に嵌めることが可能で、且つ一つのマフ部によりメートル法ネジ頭とイギリス規格ネジ頭とを嵌めることが可能な手工具におけるマフ部の構造を提供することにある。
【課題を解決するための手段】
【０００７】
上述の目的を達成するために本考案の請求項に記載の手工具におけるマフ部の構造は、マフ部には複数の溝が排列され、溝の数量は１２の倍数である。各溝の断面はＶ字形を呈し、各溝のマフ部軸心から遠ざかった部分を溝底部とし、マフ部軸心に近接する部分を溝開口とする。溝底部と溝開口とは二つの壁面で連接し、溝底部の幅は溝開口の幅よりも小さくすることにより、メートル法またはイギリス規格のネジ頭の各角部は前記マフ部にある六つの溝に収容されることが可能である。
【０００８】
本考案では、マフ部は、片方向回転爪車スパナの爪車装置に設置され、貫通孔の形態を呈する。
【０００９】
本考案では、マフ部はスリーブ型爪車スパナのスリーブに設置されることにより、ネジ頭に嵌めることが可能である。
【００１０】
本考案に係る手工具におけるマフ部の構造によれば、より小さい旋回角度でネジ頭に嵌めることが可能で、且つ一つのマフ部によりメートル法ネジ頭とイギリス規格ネジ頭とに嵌めることが可能である。
【考案を実施するための最良の形態】
【００１１】
以下、本考案の実施例を図面に基づいて説明する。
図１から図４に示すように本考案の第一実施例による手工具におけるマフ部の構造は、片方向回転爪車スパナを例にする。スパナは一つのハンドル１を有し、ハンドル１の先端には一つの爪車装置１１を有し、爪車装置１１には一つのマフ部１２が設けられている。本実施例では、マフ部１２は、メートル法ネジ頭７に嵌めることが可能な貫通孔を呈し、１２倍数の溝１２１が排列し設けられている。各溝１２１の断面がＶ字形を呈し、溝１２１の数量が４８個以下である。本実施例では、マフ部１２にある溝１２１の数量は２４個を例にして説明する。各溝１２１のマフ部１２の軸心から遠ざかった部分を溝底部１２２とし、マフ部１２の軸心に近接する部分を溝開口１２３とし、溝底部１２２と溝開口１２３とは二つの壁面１２４で連接する。溝底部１２２の幅は溝開口１２３の幅よりも小さくすることにより、マフ部１２の何れか六つの溝１２１がネジ頭７、ネジ頭７Ａの各角部を収容することが可能である。
【００１２】
マフ部１２には２４個の溝１２１が設けられているため、図２に示すように、二つの隣接する溝１２１の成す角度は約１５度であるので、メートル法のネジ頭７またはイギリス規格のネジ頭７Ａにマフ部１２を嵌めるときには、本考案に係るスパナのハンドル１を約１５度以下の角度で左右に旋回すると、メートル法のネジ頭７またはイギリス規格のネジ頭７Ａに嵌めることが可能であり、従来のもののように約６０度、旋回することが必要ない。よって、本考案に係るスパナにあるマフ部１２によりメートル法のネジ頭７またはイギリス規格のネジ頭７Ａに嵌めるとき、本実施例のスパナは狭いスペースで使用可能である。
【００１３】
また、溝底部１２２の幅は溝開口１２３の幅よりも小さいので、溝１２１の断面がＶ字形を呈し、マフ部１２をメートル法ネジ頭７に嵌めるときには、図３に示すように、溝１２１の二つの壁面１２４がネジ頭７の各角部の両側に同時に当接する。
【００１４】
マフ部１２でイギリス規格ネジ頭７Ａに嵌めるときには、例えば１０ｍｍと３/８″とのネジ頭を例にすれば、イギリス規格ネジ頭７Ａはメートル法ネジ頭７よりも約０．５ｍｍ程度に小さいが、図４に示すように、マフ部１２に設けた溝１２１の何れか一つの壁面１２４は各角部の一側を当接する。且つマフ部１２によりネジ頭７又はネジ頭Ａを旋回するときに、Ｖ字形を呈する溝１２１はイギリス規格ネジ頭７Ａの各角部を収容し、各角部が溝１２１内で移動可能なことにより、本実施例のマフ部１２はメートル法ネジ頭７にも、イギリス規格ネジ頭７Ａにも嵌めることが可能である。
【００１５】
もちろん、本考案は他に様々な実施形態が可能であり、それらは詳細部分の変化だけである。図５と図６に示すように本考案の第二実施例による手工具におけるマフ部の構造は、スリーブ型爪車スパナを例にして説明する。スパナは一つのスリーブ３を有し、スリーブ３の頂面には一つの取付穴３１が設けられ、取付穴３１は矩形な穴であり、スリーブ型爪車スパナは取付穴３１に挿入して固定する。スリーブ３の底部には実施例１と同じ形状のマフ部３２が設けられている。これによりスリーブ３は寸法が近接するメートル法ネジ頭７とイギリス規格ネジ頭７Ａとに嵌めることが可能である。
【図面の簡単な説明】
【００１６】
【図１】本考案の第一実施例による手工具におけるマフ部の構造を示す斜視図である。
【図２】本考案の第一実施例による手工具におけるマフ部の構造を示す平面図である。
【図３】本考案の第一実施例のマフ部の構造をメートル法ネジに使用する状態を示す概略図である。
【図４】本考案の第一実施例のマフ部の構造をイギリス規格ネジに使用する状態を示す拡大概略図である。
【図５】本考案の第二実施例による手工具におけるマフ部の構造を示す斜視図である。
【図６】本考案の第二実施例による手工具におけるマフ部の構造の使用状態を示す概略図である。
【図７】従来のマフ部の構造を示す平面図である。
【図８】従来のマフ部の構造の角度を示す概略図である。
【図９】従来のマフ部の構造の使用状態を示す概略図１である。
【図１０】従来のマフ部の構造の使用状態を示す概略図２である。
【符号の説明】
【００１７】
１  ハンドル、７  ネジ頭、７Ａ  ネジ頭、１１  爪車装置、１２  マフ部、３２  マフ部、１２１  溝、１２２  溝底部、１２３  溝開口部、１２４  取付穴
【図１】
0003108370.tif 000003
【図２】
0003108370.tif 000004
【図３】
0003108370.tif 000005
【図４】
0003108370.tif 000006
【図５】
0003108370.tif 000007
【図６】
0003108370.tif 000008
【図７】
0003108370.tif 000009
【図８】
0003108370.tif 000010
【図９】
0003108370.tif 000011
【図１０】
0003108370.tif 000012